(57)【特許請求の範囲】
【請求項１】
撮影手段により撮影される錠剤を保持する保持部材と、
前記撮影手段から予め定めた位置において当該撮影手段に錠剤が対向するように前記保持部材を支持する支持部材と、
前記支持部材に支持される前記保持部材を磁力により固定する固定手段と、
前記固定手段により前記保持部材が固定された固定状態と、当該固定手段による当該保持部材の固定が解除された解除状態とを切り替える切替手段と
を備える撮影用ユニット。
【請求項２】
前記固定手段は、前記保持部材を、前記撮影手段の光軸方向と交差する方向への移動を抑制し且つ当該光軸方向を回転軸とする回転が可能なように、固定すること
を特徴とする請求項１に記載の撮影用ユニット。
【請求項３】
前記固定手段は、前記保持部材との間に磁力を生じさせる磁性部材を備え、
前記切替手段は、前記保持部材から前記磁性部材までの距離を大きくすることで、前記固定状態から前記解除状態に切り替えること
を特徴とする請求項１または２に記載の撮影用ユニット。
【請求項４】
前記保持部材を覆い、当該保持部材に保持される錠剤を外部から遮光する遮光手段と、
前記遮光手段の内部に設けられ、照明手段からの光を錠剤に導く導光手段と
をさらに備えることを特徴とする請求項１乃至３のいずれか１項に記載の撮影用ユニット。
【請求項５】
前記撮影手段を備える携帯端末が着脱可能に取り付けられる取付手段と、
前記取付手段に取り付けられた前記携帯端末が予め定めた方向を向くように当該取付手段を支持する支持体と
をさらに備えることを特徴とする請求項１に記載の撮影用ユニット。
【請求項６】
撮影手段を備える携帯端末と
前記携帯端末を備える撮影用ユニットとを備え、
前記撮影用ユニットは、
前記携帯端末に取り付けるための取付手段と、
前記撮影手段により撮影される錠剤を保持する保持部材と、
前記撮影手段から予め定めた位置において当該撮影手段に錠剤が対向するように前記保持部材を支持する支持部材と、
前記支持部材に支持される前記保持部材を磁力により固定する固定手段と、
前記固定手段により前記保持部材が固定された固定状態と、当該固定手段による当該保持部材の固定が解除された解除状態とを切り替える切替手段と
を備える撮影システム。
【請求項７】
前記携帯端末は、前記撮影手段により撮影された撮影画像、および前記保持部材に保持される錠剤の位置合わせの基準となる基準画像を表示する表示手段をさらに備えること
を特徴とする請求項６に記載の撮影システム。
【発明の詳細な説明】
【技術分野】
【０００１】
本発明は、撮影用ユニットおよび撮影システムに関する。
【背景技術】
【０００２】
例えば携帯電話やスマートフォン等の携帯端末のカメラを用いて、撮影対象物の画像を撮影し、撮影した画像を用いて撮影対象物の照合（真贋判定）を行う装置が知られている。
特許文献１には、カメラ付き携帯電話で、撮影対象物の拡大画像の撮影を行う拡大撮影用ユニットが開示されている。
【先行技術文献】
【特許文献】
【０００３】
【特許文献１】特開２００４−２７９７３３号公報
【発明の概要】
【発明が解決しようとする課題】
【０００４】
本発明は、撮影対象物である錠剤の紋様情報のように細かい情報を取得する場合において、撮影手段に対する錠剤の位置決めを簡易な操作で行うことを可能にすることを目的とする。
【課題を解決するための手段】
【０００５】
請求項１に係る発明は、撮影手段により撮影される錠剤を保持する保持部材と、前記撮影手段から予め定めた位置において当該撮影手段に錠剤が対向するように前記保持部材を支持する支持部材と、前記支持部材に支持される前記保持部材を磁力により固定する固定手段と、前記固定手段により前記保持部材が固定された固定状態と、当該固定手段による当該保持部材の固定が解除された解除状態とを切り替える切替手段とを備える撮影用ユニットである。
請求項２に係る発明は、前記固定手段は、前記保持部材を、前記撮影手段の光軸方向と交差する方向への移動を抑制し且つ当該光軸方向を回転軸とする回転が可能なように、固定することを特徴とする請求項１に記載の撮影用ユニットである。
請求項３に係る発明は、前記固定手段は、前記保持部材との間に磁力を生じさせる磁性部材を備え、前記切替手段は、前記保持部材から前記磁性部材までの距離を大きくすることで、前記固定状態から前記解除状態に切り替えることを特徴とする請求項１または２に記載の撮影用ユニットである。
請求項４に係る発明は、前記保持部材を覆い、当該保持部材に保持される錠剤を外部から遮光する遮光手段と、前記遮光手段の内部に設けられ、照明手段からの光を錠剤に導く導光手段とをさらに備えることを特徴とする請求項１乃至３のいずれか１項に記載の撮影用ユニットである。
請求項５に係る発明は、前記撮影手段を備える携帯端末が着脱可能に取り付けられる取付手段と、前記取付手段に取り付けられた前記携帯端末が予め定めた方向を向くように当該取付手段を支持する支持体とをさらに備えることを特徴とする請求項１に記載の撮影用ユニットである。
請求項６に係る発明は、撮影手段を備える携帯端末と前記携帯端末を備える撮影用ユニットとを備え、前記撮影用ユニットは、前記携帯端末に取り付けるための取付手段と、前記撮影手段により撮影される錠剤を保持する保持部材と、前記撮影手段から予め定めた位置において当該撮影手段に錠剤が対向するように前記保持部材を支持する支持部材と、前記支持部材に支持される前記保持部材を磁力により固定する固定手段と、前記固定手段により前記保持部材が固定された固定状態と、当該固定手段による当該保持部材の固定が解除された解除状態とを切り替える切替手段とを備える撮影システムである。
請求項７に係る発明は、前記携帯端末は、前記撮影手段により撮影された撮影画像、および前記保持部材に保持される錠剤の位置合わせの基準となる基準画像を表示する表示手段をさらに備えることを特徴とする請求項６に記載の撮影システムである。
【発明の効果】
【０００６】
請求項１に係る発明によれば、撮影対象物である錠剤の紋様情報のように細かい情報を取得する場合においても、撮影手段に対する錠剤の位置決めを簡易な操作で行うことができる。
請求項２に係る発明によれば、保持部材を回転させることで、錠剤の予め定めた領域を撮影手段に対向させることが可能となる。
請求項３に係る発明によれば、簡易な操作により、固定状態と解除状態とを切り替えることが可能となる。
請求項４に係る発明によれば、遮光手段および導光手段を有しない場合と比較して、錠剤の紋様情報をより正確に取得することが可能となる。
請求項５に係る発明によれば、撮影用ユニットを把持しない状態であっても、錠剤の紋様情報を取得することが可能となり、支持体を有しない場合と比較して操作性が向上する。
請求項６に係る発明によれば、撮影対象物である錠剤の紋様情報のように細かい情報を取得する場合においても、撮影手段に対する錠剤の位置決めを簡易な操作で行うことができる。
請求項７に係る発明によれば、表示手段にて撮影画像および基準画像を表示しない場合と比較して、錠剤の位置合わせをより正確に行うことが可能となる。
【図面の簡単な説明】
【０００７】
【図１】本実施の形態が適用される撮影システムの概略構成を示した図である。
【図２】本実施の形態が適用される撮影システムの概略構成を示した図である。
【図３】本実施の形態が適用される錠剤ホルダーの概略構成を示した斜視図である。
【図４】本実施の形態の撮影システムの撮影対象物である錠剤の一例を示した図である。
【図５】本実施の形態の撮影システムにおける錠剤の位置および向きを定める操作の一例について示した図である。
【図６】本実施の形態の撮影システムにおける錠剤の位置および向きを定める操作の一例について示した図である。
【発明を実施するための形態】
【０００８】
以下、本発明の実施の形態を、図面を参照して具体的に説明する。
図１および図２は、本実施の形態が適用される撮影システム１の概略構成を示した図である。図１は、撮影システム１の斜視図であり、図２は、図１におけるＩＩ−ＩＩ断面図である。
図１および図２に示すように、本実施の形態の撮影システム１は、撮影手段（カメラ機能）と照明手段（照明点灯機能）とを有する携帯端末２に、撮影用ユニット３が取り付けられて構成される。
【０００９】
本実施の形態の携帯端末２は、例えばスマートフォン等の携帯電話によって実現される。なお、携帯端末２は、撮影手段や照明手段を備えたものであれば、タブレット端末やデジタルカメラ等により実現されるものとしてもよい。
携帯端末２は、マイクロプロセッサ、ＲＡＭ（Random Access Memory）、ハードディスクドライブ等の記憶媒体により構成される記憶部、通信インターフェース、操作ボタン等を備えている。そして、本実施の形態の携帯端末２には、紋様情報取得用のアプリケーションがインストールされている。
また、図１に示すように、携帯端末２は、表示手段の一例としてのディスプレイ２０と、ディスプレイ２０の裏面に設けられる撮影手段の一例としてのカメラ２１および照明手段の一例としてのフラッシュランプ２２とを有している。
【００１０】
携帯端末２に設けられるカメラ２１は、ＣＣＤ（Charge Coupled Device）イメージセンサやＣＭＯＳ（Complementary Metal Oxide Semiconductor）イメージセンサ等の撮像素子およびレンズ等の光学系等からなる。そして、カメラ２１は、撮影対象物の画像を撮影して画像データを取得する。また、カメラ２１における光学系の光軸は、携帯端末２のディスプレイ２０に対して垂直な方向となっている。
【００１１】
また、携帯端末２に設けられるフラッシュランプ２２は、発光素子として、例えばＬＥＤ（発光ダイオード）を含んで構成される。そして、フラッシュランプ２２は、カメラ２１による撮影対象物の画像取得の際に発光するようになっている。
【００１２】
続いて、本実施の形態の撮影用ユニット３の構成について説明する。撮影用ユニット３は、図１および図２に示すように、携帯端末２の外形状に倣った形状を有し、携帯端末２が嵌め合わされて固定される取付手段の一例としての取り付け部材３１と、取り付け部材３１に固定され撮影用ユニット３全体を支持する支持体の一例としてのユニット支持部３２とを備えている。また、撮影用ユニット３は、撮影対象物である錠剤を保持する保持部材の一例としての錠剤ホルダー５０を備えている。さらに、撮影用ユニット３は、取り付け部材３１に固定され、錠剤ホルダー５０の位置決めを行う撮影ケース４０を備えている。
【００１３】
取り付け部材３１には、携帯端末２のカメラ２１およびフラッシュランプ２２に対応する位置に、撮影ケース４０に向けて開口した孔部（不図示）が形成されている。そして、撮影システム１では、携帯端末２が取り付け部材３１に取り付けられた状態において、携帯端末２のカメラ２１が、孔部を介して後述するレンズ部４１の接写レンズ４１１に対向するようになっている。また、携帯端末２のフラッシュランプ２２が、孔部を介して後述する導光部材４２に対向するようになっている。
ユニット支持部３２は、取り付け部材３１の裏面側に設けられる。そして、ユニット支持部３２は、撮影システム１を使用する際に、携帯端末２のディスプレイ２０が鉛直上方を向くように、撮影用ユニット３および撮影用ユニット３に取り付けられた携帯端末２を支持する。
【００１４】
図３は、本実施の形態が適用される錠剤ホルダー５０の概略構成を示した斜視図である。
図３および上述した図２に示すように、本実施の形態の錠剤ホルダー５０は、錠剤Ｐ（後述する図４等参照）を保持する錠剤挿入部５１と、錠剤挿入部５１の側面から延び撮影ケース４０での錠剤Ｐの角度を調整する調整部材５２と、を備えている。さらに、本実施の形態の錠剤ホルダー５０は、錠剤挿入部５１の底面に取り付けられ鉄等の磁性を有する材料からなる磁性体５３を備えている。本実施の形態の磁性体５３は、錠剤挿入部５１の底面に挿入された鉄製のネジにより構成されている。また、錠剤挿入部５１は、例えばアルミニウム等の非磁性体により構成されている。
【００１５】
本実施の形態の錠剤挿入部５１は、全体として円柱状の形状を有している。また、錠剤挿入部５１は、上部に向けて開口し撮影対象物である錠剤Ｐが挿入される錠剤用孔５１１と、錠剤用孔５１１に隣接し錠剤用孔５１１よりも小径の小孔５１２とを備えている。錠剤用孔５１１は、錠剤Ｐの種類に応じて錠剤Ｐの外形状に倣った円柱状の形状を有している。ここで、錠剤用孔５１１の深さ（高さ）は、錠剤Ｐの厚さと同等程度となっている。これにより、錠剤用孔５１１に錠剤Ｐを入れた場合には、錠剤Ｐの表面が、錠剤挿入部５１の上面と略同じ高さになる。
また、錠剤ホルダー５０に錠剤Ｐを設置する際には、例えば錠剤Ｐをピンセット等で挟んで錠剤用孔５１１に挿入する。本実施の錠剤ホルダー５０では、錠剤用孔５１１に隣接して小孔５１２を設けることで、ピンセットの先端が小孔５１２に入り込むことができ、錠剤Ｐを錠剤用孔５１１に挿入しやすくなっている。
【００１６】
図１および図２に戻り、本実施の形態の撮影ケース４０には、取り付け部材３１に携帯端末２が取り付けられた状態で、携帯端末２のカメラ２１に対向するレンズ部４１が設けられている。レンズ部４１は、図２に示すように、カメラ２１の最短撮影距離を短くする接写レンズ（マクロレンズ）４１１と、撮影ケース４０の後述する遮光部材４５に取り付けられ接写レンズ４１１を支持する円筒状の鏡筒４１２とを備えている。
上述したように、接写レンズ４１１は、携帯端末２のカメラ２１と対向するように配置されている。より具体的には、接写レンズ４１１の光軸と、カメラ２１における光学系の光軸とが一致するように配置されている。
本実施の形態の接写レンズ４１１は、後述する錠剤ホルダー５０に設置される錠剤Ｐの表面に焦点を結ぶようになっている。
【００１７】
また、本実施の形態の撮影ケース４０はフラッシュランプ２２から出力された照明光を撮影ケース４０内に導く導光手段の一例としての導光部材４２と、導光部材４２にて導かれた照明光を反射して、錠剤ホルダー５０に保持される錠剤に照射する反射部材４３とを備えている。
導光部材４２は、フラッシュランプ２２から出力された照明光を、反射部材４３に供給するものである。本実施の形態では、フラッシュランプ２２からの照明光が進行する方向を変化させるように導光する筒状の導光部材によって構成される。
【００１８】
反射部材４３は、導光部材４２（照明光の出射側）に対向するように設けられる。そして、反射部材４３は、フラッシュランプ２２から導光部材４２を介して導かれた照明光を反射して、撮影対象物である錠剤Ｐの接写部分（携帯端末２のカメラ２１と接写レンズ４１１とによる光学系で接写撮影されて画像として取り込まれる領域）に照明光を供給する。
反射部材４３は、例えば曲げ加工が施された金属板等により構成される。
【００１９】
また、撮影ケース４０は、錠剤ホルダー５０に保持された錠剤Ｐの接写部分を、撮影ケース４０の外部から遮光する遮光手段の一例としての遮光部材４５と、遮光部材４５の下方に設けられ錠剤ホルダー５０を保持する支持部材の一例としてのホルダー保持部６１と、ホルダー保持部６１に保持された錠剤ホルダー５０を磁力によって予め定めた力で固定する固定部材６２とを備えている。
【００２０】
遮光部材４５は、全体として円筒状の形状を有しており、上述したレンズ部４１、導光部材４２および反射部材４３を収容している。また、遮光部材４５の側面には、錠剤ホルダー５０を挿入するための挿入口４５０が形成されている。本実施の形態の遮光部材４５では、挿入口４５０は、接写レンズ４１１および導光部材４２と比較して、下方（ホルダー保持部６１に近い側）に設けられている。言い換えると、挿入口４５０は、接写レンズ４１１および導光部材４２に対して、接写レンズ４１１の光軸方向にずれて設けられている。これにより、例えば挿入口４５０が、接写レンズ４１１および導光部材４２に対向して設けられる場合と比較して、挿入口４５０を介して遮光部材４５内に進入した光等が、接写レンズ４１１や導光部材４２を介してカメラ２１に入射されることが抑制される。
【００２１】
ホルダー保持部６１は、遮光部材４５の底に取り付けられ、全体として円盤状の形状を有している。ホルダー保持部６１には、錠剤ホルダー５０の錠剤挿入部５１が嵌め合わされる嵌合部６１０が形成されている。
嵌合部６１０は、錠剤挿入部５１の外形状に倣った円筒状の形状を有し、錠剤挿入部５１の側面を支持する側壁６１０ａと、側壁６１０ａの周縁から内周に向けて延び錠剤挿入部５１の底面を支持する底部６１０ｂとを備えている。底部６１０ｂは、カメラ２１および接写レンズ４１１の光軸方向に垂直な面により構成される。また、底部６１０ｂの中央部には、開口６１０ｃが形成されている。
【００２２】
嵌合部６１０に錠剤挿入部５１を挿入すると、底部６１０ｂに錠剤挿入部５１が積載されることで、錠剤挿入部５１に保持される錠剤Ｐの光軸方向への位置決めがされる。また、側壁６１０ａにより錠剤挿入部５１の側面が支持されることで、錠剤Ｐの光軸方向と垂直な面での位置決めがされる。
ここで、本実施の形態では、嵌合部６１０に錠剤挿入部５１を挿入した場合に、側壁６１０ａと錠剤挿入部５１とは、完全には固定されないようになっている。そして、このような構成を有することで、調整部材５２を図１にて矢印Ａで示すように回転させることにより、錠剤挿入部５１は、カメラ２１および接写レンズ４１１の光軸方向を回転軸として嵌合部６１０内を回転できるようになっている。なお、錠剤挿入部５１の回転操作については、後段にて詳細に説明する。
【００２３】
また、ホルダー保持部６１の下方には、固定部材６２が設置される窪み部６１１が設けられている。本実施の形態では、携帯端末２のディスプレイ２０が鉛直上方を向くように撮影システム１を机等の上に置いた場合に、窪み部６１１によって、机とホルダー保持部６１との間に固定部材６２が移動するための空間ができるようになっている。
【００２４】
固定部材６２は、図１および図２に示すように、全体として板状の形状を有しホルダー保持部６１に対して軸６５を中心として回転可能に取り付けられた切替手段の一例としての板状部材６２１と、永久磁石により構成され板状部材６２１の上面に取り付けられる固定手段または磁性部材の一例としての磁石６２２とを備えている。
板状部材６２１は、図２にて矢印Ｂで示すように、軸６５を中心として、上面がホルダー保持部６１に接触した状態から、下方に向けて回転移動できるようになっている。
また、板状部材６２１を上方まで移動させて板状部材６２１の上面をホルダー保持部６１に接触させた状態では、板状部材６２１の先端が、ホルダー保持部６１から突出した状態となっている。これにより、本実施の形態では、撮影システム１を机等の上に置いた状態で、ユーザが板状部材６２１の先端を摘んで板状部材６２１を移動操作することが可能となっている。
【００２５】
また、板状部材６２１を上方まで移動させて板状部材６２１の上面をホルダー保持部６１に接触させた状態では、板状部材６２１の上面に取り付けられた磁石６２２が、ホルダー保持部６１の開口６１０ｃ内に挿入されるようになっている。そして、詳細については後述するが、錠剤ホルダー５０をホルダー保持部６１の嵌合部６１０に嵌合させると、開口６１０ｃを介して、磁石６２２と錠剤ホルダー５０の磁性体５３とが対向し、磁力によって引き合うようになっている。
これにより、本実施の形態の撮影用ユニット３では、錠剤ホルダー５０を撮影ケース４０内に収納した状態で、錠剤ホルダー５０（錠剤挿入部５１）が、ホルダー保持部６１の嵌合部６１０に対して、磁力によって予め定めた力で固定されるようになっている。より具体的には、錠剤ホルダー５０（錠剤挿入部５１）が、ユーザによる操作によってホルダー保持部６１の嵌合部６１０内において回転可能な力で、固定されている。言い換えると、本実施の形態では、錠剤ホルダー５０（錠剤挿入部５１）が嵌合部６１０内において回転可能な磁力が生じるように、磁性体５３の大きさや磁石６２２の磁力の強さ等が設定されている。
【００２６】
続いて、本実施の形態の撮影システム１における撮影対象物について説明する。図４は、本実施の形態の撮影システム１の撮影対象物である錠剤Ｐの一例を示した図である。本実施の形態の撮影システム１では、錠剤Ｐを撮影対象物とし、この錠剤Ｐの照合（真贋判定）を行う。
図４に示すように、撮影対象物である錠剤Ｐは、例えば全体として円柱状の形状を有しており、表面に、錠剤Ｐの種類等を示す識別符号Ｐ１や、錠剤Ｐを分割するための割線Ｐ２が形成されている。
【００２７】
本実施の形態の撮影システム１では、携帯端末２や携帯端末２に有線または無線で接続されるサーバＰＣ等の外部装置に、予め錠剤Ｐの紋様情報に関する情報が記憶されている。
そして、錠剤Ｐの照合を行う場合には、撮影システム１を用いて錠剤Ｐの予め定められた領域を撮影することで、錠剤Ｐの紋様情報を取得する。そして、取得した錠剤Ｐの紋様情報が、携帯端末２や外部装置に記憶された紋様情報と一致するか否かの判定を行うことで、錠剤Ｐの照合を行い、照合結果を携帯端末２のディスプレイ２０等を介して出力する。
【００２８】
ここで、本実施の形態の撮影システム１では、紋様情報として、錠剤Ｐの表面に表れ、それぞれの錠剤Ｐが固有に有するランダムで微細な紋様の画像を取得する。本実施の形態の撮影システム１において取得する微細な紋様とは、通常、錠剤Ｐの上に形成される識別符号Ｐ１や割線Ｐ２等とは異なり、肉眼では認識することが困難な程度の微細な紋様を意味する。
錠剤Ｐ上に形成される紋様として具体的には、錠剤Ｐの原料となる顆粒に由来して錠剤Ｐの表面に表れる凹凸形状や、錠剤Ｐの表面に形成されたコーティング剤に由来して錠剤Ｐの表面に表れる凹凸形状等が挙げられる。
【００２９】
本実施の形態の撮影システム１において、錠剤Ｐの表面から上述した紋様情報を取得する領域は、通常、錠剤Ｐにおける狭小な範囲となっている。したがって、錠剤Ｐから照合の対象となる紋様を正確に取得するためには、カメラ２１の読み取り位置に対する錠剤Ｐの位置決めを正確に行うとともに、カメラ２１の読み取り位置に対する錠剤Ｐの向きを、予め定めた向きに正確に定める必要がある。
また、撮影システム１にて取得する錠剤Ｐの紋様は、上述したように微細であり、錠剤Ｐの紋様の画像を正確に撮影するためには、錠剤Ｐの表面が接写レンズ４１１の焦点位置にくるように錠剤Ｐの位置決めを行う必要がある。
【００３０】
そこで、本実施の形態の撮影システム１では、錠剤Ｐの紋様情報を取得する際には、錠剤Ｐを錠剤ホルダー５０に挿入するとともに、錠剤ホルダー５０を、撮影ケース４０内で位置決めすることにより、カメラ２１に対して錠剤Ｐが予め定めた位置にくるようにしている。そして、錠剤ホルダー５０を撮影ケース４０内で位置決めした後、錠剤ホルダー５０の向きをユーザにより手動で調整することで、カメラ２１に対して錠剤Ｐの向きが予め定められた向きになるようにしている。
図５および図６は、本実施の形態の撮影システム１における錠剤Ｐの位置および向きを定める操作の一例について示した図である。ここで、図５は、撮影ケース４０から錠剤ホルダー５０を取り出し、錠剤ホルダー５０に錠剤Ｐを挿入する操作を示した図である。また、図６は、錠剤ホルダー５０を用いて錠剤Ｐの向きを調整する操作を示した図である。続いて、図５、図６および上述した図２等を参照して、本実施の形態の撮影システム１にて錠剤Ｐの紋様情報を取得する際の操作について、具体的に説明する。
【００３１】
本実施の形態の撮影システム１において錠剤Ｐの画像を撮影して紋様情報を取得する際には、携帯端末２にインストールされた紋様情報取得用のアプリケーションを起動する。これにより、携帯端末２のフラッシュランプ２２による発光が維持されつつ、カメラ２１による撮影が開始されて、その様子がディスプレイ２０に表示される。
【００３２】
続いて、撮影対象物である錠剤Ｐを錠剤ホルダー５０に挿入するために、撮影用ユニット３の撮影ケース４０から錠剤ホルダー５０を取り出す。
ここで、上述したように、錠剤ホルダー５０が撮影ケース４０内に挿入され嵌合部６１０に嵌合された状態では、錠剤ホルダー５０の磁性体５３と、固定部材６２の磁石６２２とが磁力によって引き合うようになっている。そして、固定部材６２の板状部材６２１がホルダー保持部６１側に引かれることで、板状部材６２１の上面が、ホルダー保持部６１に接触した状態となっている。
撮影ケース４０から錠剤ホルダー５０を取り出す際には、図５および図２に示すように、まず、板状部材６２１を下方に引き下げる（図５における矢印Ｓ１参照）。これにより、錠剤ホルダー５０の磁性体５３から固定部材６２の磁石６２２が離れ磁性体５３にはたらく磁力が弱くなる。言い換えると、固定部材６２の磁石６２２による、錠剤ホルダー５０のホルダー保持部６１に対する固体が解除された解除状態となる。これにより、錠剤ホルダー５０をホルダー保持部６１から取り外すことが可能になる。
【００３３】
続いて、板状部材６２１を引き下げた状態を維持したまま、錠剤ホルダー５０の調整部材５２を摘み、手前側に引き出すことで、遮光部材４５の挿入口４５０から錠剤ホルダー５０を取り出す（図５における矢印Ｓ２参照）。
なお、撮影ケース４０から錠剤ホルダー５０が取り出されると、錠剤ホルダー５０の磁性体５３と固定部材６２の磁石６２２との磁力による引き合いが無くなるため、板状部材６２１は重力によって鉛直下方に移動し、ホルダー保持部６１から離れた状態が維持される。
【００３４】
続いて、取り出した錠剤ホルダー５０に錠剤Ｐを挿入する（図５における矢印Ｓ３参照）。ここでは、例えば錠剤Ｐをピンセット（不図示）で挟んで、錠剤ホルダー５０の錠剤用孔５１１に対して挿入する。上述したように、錠剤Ｐには、錠剤Ｐを識別するための識別符号Ｐ１や錠剤Ｐを分割するための割線Ｐ２が形成されている。そして、本実施の形態の撮影システム１では、後述するように、錠剤Ｐに形成された肉眼で視認可能な識別符号Ｐ１や割線Ｐ２を基準として、錠剤Ｐの向きの調整を行う。したがって、錠剤Ｐのうち識別符号Ｐ１および割線Ｐ２が形成されている面が鉛直上方となるように、錠剤Ｐを挿入する。また、識別符号Ｐ１および割線Ｐ２を基準として錠剤Ｐの向きがおよそ予め定めた向きとなるように、錠剤Ｐを錠剤用孔５１１に挿入することが好ましい。この例では、錠剤ホルダー５０の調整部材５２側を手前側にした場合に、割線Ｐ２の向きが調整部材５２とおよそ平行となるように、錠剤Ｐを錠剤用孔５１１に挿入する。
【００３５】
次いで、調整部材５２を摘み、錠剤Ｐを設置した錠剤ホルダー５０を、挿入口４５０から遮光部材４５内に挿入する（図５における矢印Ｓ４参照）。そして、錠剤ホルダー５０の錠剤挿入部５１を、ホルダー保持部６１の嵌合部６１０に嵌め合わせる。これにより、錠剤挿入部５１の下面が、重力によって嵌合部６１０の底部６１０ｂに積載された状態となり、錠剤挿入部５１に保持される錠剤Ｐの光軸方向（鉛直方向）での位置決めがされる。また、錠剤挿入部５１の側面が、嵌合部６１０の側壁６１０ａに周方向に対向した状態となり、錠剤挿入部５１に保持される錠剤Ｐの光軸方向に垂直な面での位置決めがされる。
【００３６】
また、嵌合部６１０に錠剤挿入部５１が嵌合されると、錠剤ホルダー５０の磁性体５３と、固定部材６２の磁石６２２との間にはたらく磁力によって、磁石６２２が磁性体５３に引きつけられる（図５における矢印Ｓ５参照）。これにより、板状部材６２１の上面が、ホルダー保持部６１に接触した状態となる。
また、磁性体５３と磁石６２２との間にはたらく磁力によって、錠剤ホルダー５０（錠剤挿入部５１）が、ホルダー保持部６１に対して予め定めた力で固定保持される。言い換えると、錠剤ホルダー５０が、固定部材６２の磁石６２２によりホルダー保持部６１に対して予め定められた力で固定された固定状態となる。
【００３７】
さらにまた、錠剤ホルダー５０（錠剤挿入部５１）が、嵌合部６１０に嵌合されると、図６に示すように、錠剤ホルダー５０に保持された錠剤Ｐがカメラ２１により撮影され、カメラ２１により撮影された錠剤Ｐの画像がディスプレイ２０に表示されるようになる。
また、ディスプレイ２０には、携帯端末２にて起動されるアプリケーションにより、錠剤Ｐの向きを調整するための基準線Ｌが表示される。
【００３８】
本実施の形態の撮影システム１では、ユーザは、ディスプレイ２０に表示される画像を確認しながら、錠剤ホルダー５０に保持される錠剤Ｐの向きを調整する。この例では、錠剤Ｐの割線Ｐ２が、ディスプレイ２０に表示される基準線Ｌと一致するように、錠剤Ｐの向きを調整する。
具体的には、ディスプレイ２０に表示される画像を確認しながら、図６にて矢印Ｃで示すように、錠剤ホルダー５０の調整部材５２を、錠剤挿入部５１を中心として円弧状に動かす。
【００３９】
上述したように、錠剤ホルダー５０の錠剤挿入部５１は、磁石６２２によって予め定めた力で保持されているものの、完全に固定されているわけではない。このため、調整部材５２を動かすのに伴って、錠剤挿入部５１は、嵌合部６１０内を回転移動する。
そして、錠剤挿入部５１の回転移動に伴い、錠剤挿入部５１に保持される錠剤Ｐも、カメラ２１の光軸方向を軸にしてカメラ２１に対して回転する。
【００４０】
ユーザは、図６に示すように、ディスプレイ２０に表示される画像を見ながら調整部材５２を動かして錠剤Ｐを回転させることで、錠剤Ｐの割線Ｐ２をディスプレイ２０に表示される基準線Ｌと一致させる。
そして、錠剤Ｐの割線Ｐ２が基準線Ｌと一致した位置で、調整部材５２の移動操作を終了させる。これにより、錠剤挿入部５１の回転が停止され、錠剤ホルダー５０の磁性体５３と固定部材６２の磁石６２２との間にはたらく磁力によって、錠剤挿入部５１および錠剤挿入部５１に保持される錠剤Ｐの向きが固定される。
【００４１】
その後、携帯端末２にて起動されるアプリケーションに基づいて、錠剤Ｐの紋様情報が取得され、錠剤Ｐの照合（真贋判定）が行われる。
【００４２】
以上説明したように、本実施の形態の撮影システム１では、錠剤ホルダー５０に錠剤Ｐを挿入し、錠剤ホルダー５０を撮影ケース４０の嵌合部６１０に嵌合させ、錠剤ホルダー５０を回転させるという簡易な操作で、携帯端末２のカメラ２１に対する錠剤Ｐの位置および向きを調整することが可能となる。
これにより、錠剤Ｐのうち紋様情報を取得する領域の位置を、カメラ２１による撮影領域に一致させることが可能となる。この結果、錠剤Ｐの表面に形成される凹凸等のように微細で通常では読み取り難い紋様であっても、携帯端末２のカメラ２１で正確に読み取ることが可能となり、読み取った紋様を用いて錠剤Ｐの照合（真贋判定）を行うことが可能となる。
【００４３】
なお、本実施の形態では、錠剤Ｐの表面に形成された割線Ｐ２を用いて、ユーザの操作により錠剤Ｐの向きを調整する構成としたが、ユーザにより視認できるものであれば、割線Ｐ２の他に、識別符号Ｐ１等を基準として錠剤Ｐの向きを調整してもよい。
また、本実施の形態では、錠剤ホルダー５０に磁性体５３を設け、固定部材６２に磁石６２２を設けることで、固定部材６２に対して錠剤ホルダー５０が予め定めた磁力により固定されるものとしたが、例えば錠剤ホルダー５０に磁石を設け、固定部材６２に鉄等からなる磁性体を設けて同様の構成としてもよい。また、錠剤ホルダー５０と固定部材６２とに、互いに引き合うように磁石を設けてもよい。
【符号の説明】
【００４４】
１…撮影システム、２…携帯端末、３…撮影用ユニット、２０…ディスプレイ、２１…カメラ、２２…フラッシュランプ、４０…撮影ケース、４５…遮光部材、５０…錠剤ホルダー、５１…錠剤挿入部、５２…調整部材、５３…磁性体、６１…ホルダー保持部、６２…固定部材、６２１…板状部材、６２２…磁石
【図１】
0006500688.tif 000002
【図２】
0006500688.tif 000003
【図３】
0006500688.tif 000004
【図４】
0006500688.tif 000005
【図５】
0006500688.tif 000006
【図６】
0006500688.tif 000007